(57)【要約】【課題】コスト削減および小型化を図る上で有利であり、電池同士の分離を確実に行なうことができ、使い勝手に優れた電池格納構造を提供する。【解決手段】仕切り板３８は第２正面壁３４０４の幅方向の中央から幅方向の一方の側に変位した箇所で深さ方向に沿って延在する軸心の回りに揺動可能に設けられている。仕切り板３８が幅方向の一方の側に変位した第２正面壁３４０４箇所から幅方向の中央に向けて傾斜しつつ起立した状態の中立位置に位置した状態で、２つの第１の電池を電池収容空間３６に収容すると、仕切り板３８が２つの第１の電池１０の外周面間に介在する起立状態となる。仕切り板３８が中立位置に位置した状態で、１つの第２の電池を開口３２から電池収容空間３６に挿入すると、第２の電池２０が仕切り板３８の傾斜部に当接し、これにより仕切り板３８は第２正面壁３４０４に向け揺動されて倒伏状態となる。【選択図】　　　　図１
2004014418.tif 000002
【特許請求の範囲】
【請求項１】
幅、高さ、深さを有し前記深さ方向の端部に開口が設けられた電池収容空間を備え、前記電池収容空間は、幅および高さに対して大きな寸法の長さを有する細長形状の２つの第１の電池を、それらの幅方向を電池収容空間の幅方向に合わせ、かつ、２つの第１の電池をそれらの長さ方向を平行させた状態で前記深さ方向に沿わせて収容できるように構成され、さらに、高さよりも大きな寸法の幅を有するとともに、この幅よりも大きな寸法の長さを有する１つの第２の電池を、その幅方向を電池収容空間の幅方向に合わせ、かつ、１つの第２の電池をその長さ方向を前記深さ方向に沿わせて収容できるように構成された電池格納構造であって、
前記電池収容空間を構成する収容壁は、前記電池収容空間の高さ方向の両側に位置する２つの正面壁を備え、
２つの正面壁のうちの１つの正面壁の幅方向の中央から幅方向の一方の側に変位した箇所で前記深さ方向に沿って延在する軸心の回りに揺動可能な仕切り板が設けられ、
前記仕切り板は前記深さ方向に延在する長さを有し、
前記仕切り板の前記開口寄りの部分は、前記開口から離れるに従い前記１つの正面壁からの高さが次第に大きくなる傾斜部として形成され、
前記仕切り板を、前記一方の側に変位した正面壁箇所から幅方向の中央に向けて傾斜しつつ起立した状態の中立位置とする中立位置形成手段が設けられ、
前記仕切り板の中立位置で、電池収容空間に２つの第１の電池を収容するとこれら２つの第１の電池の外周面間に仕切り板が介在する起立状態となり、かつ、前記仕切り板の中立位置で、前記電池収容空間に１つの第２の電池を収容するとこの収容された第２の電池の外面により前記１つの正面壁側に倒される倒伏状態となるように構成されている、
ことを特徴とする電池格納構造。
【請求項２】
前記仕切り板の高さ方向の先部寄りに位置する部分は、前記電池収容空間の前記幅方向の一方の側に収容される第１の電池の外周面に合致する円筒面で形成されていることを特徴とする請求項１記載の電池格納構造。
【請求項３】
前記中立位置形成手段は、前記仕切り板を倒伏状態から前記中立位置に付勢する付勢手段と、前記仕切り板に設けられ前記正面壁に当接し該仕切り板の前記中立位置を越える方向への揺動を規制するストッパとで構成されていることを特徴とする請求項１記載の電池格納構造。
【請求項４】
前記中立位置形成手段はねじりスプリングにより構成され、ねじりスプリングの一方の端部は前記仕切り板に取着され、ねじりスプリングの他方の端部は前記収容壁に取着され、前記中立位置は、前記ねじりスプリングの自然長状態により形成されることを特徴とする請求項１記載の電池格納構造。
【請求項５】
前記正面壁に欠部が設けられ、前記仕切り板が倒伏した状態で該仕切り板は電池収容空間の外部で前記欠部内に位置する退避位置となるように構成されていることを特徴とする請求項１記載の電池格納構造。
【請求項６】
前記仕切り板は、前記正面壁から起立した状態で前記電池収容空間の高さのほぼ１／２程度の高さを有していることを特徴とする請求項１記載の電池格納構造。
【請求項７】
前記第１の電池は単３電池であることを特徴とする請求項１記載の電池格納構造。
【請求項８】
前記第２の電池はＣＲ−Ｖ３リチウム電池であることを特徴とする請求項１記載の電池格納構造。
【発明の詳細な説明】
【０００１】
【発明の属する技術分野】
本発明は、異なる形状を有する２種類の電池を収容する電池格納構造に関する。
【０００２】
【従来の技術】
従来から、２つの単三電池をそれらの長さ方向を平行させて収容できるように構成されるとともに、１つのＣＲ−Ｖ３リチウム電池を収容できるように構成された電池格納構造がある。
図９（Ａ）、（Ｂ）に示すように、前記電池格納構造は、前記電池を収容する収容空間を形成する収容壁２を有して構成され、該収容壁２には、２つの単三電池同士を離間した状態で前記収容空間に収容するため、これら収容される２つの単三電池の間に位置するようにスペーサ部材４が設けられ、このスペーサ部材４は単三電池の長さ方向に間隔をおいて２つ設けられている。
前記各スペーサ部材４は、前記長さ方向と直交する方向に延在する軸心回りに揺動可能に設けられ、（Ａ）に示す起立位置と（Ｂ）に示す倒伏位置とをとり、かつ、前記起立位置となるように付勢されている。
したがって、前記２つの単三電池の前記収容空間への収容は、前記各スペーサ部材４が（Ａ）に示す起立位置にある状態で前記２つの単三電池を各スペーサ４の両側のそれぞれに矢印Ａ方向から前記収容空間内に挿入することによってなされる。
また、前記１つの１つのＣＲ−Ｖ３リチウム電池の前記収容空間への収容は、前記各スペーサ部材４が（Ａ）に示す起立位置にある状態で前記１つのＣＲ−Ｖ３リチウム電池を矢印Ａ方向から前記収容空間内に挿入することによって前記各スペーサ部材４を押し倒して（Ｂ）に示す倒伏位置にさせることによってなされる。
【０００３】
【発明が解決しようとする課題】
しかしながら、このような従来の電池格納機構においては次のような欠点がある。
１）スペーサ部材４を２つ設けなくてはならないため、部品点数および組立て工数が多く、また、占有スペースも大きいものとなり、コスト削減および小型化を図ることが難しい。
２）前記ＣＲ−Ｖ３リチウム電池を前記収容空間に挿入する際の姿勢を誤った場合、ＣＲ−Ｖ３リチウム電池に設けられている凹部が前記スペーサ部材４に引っかかってしまい、前記収容空間から取出しにくくなることも考えられ、改良の余地があった。
本発明は、このような実状に鑑みてなされたものであり、コスト削減および小型化を図る上で有利であり、電池同士の分離を確実に行なうことができ、使い勝手に優れた電池格納構造を提供することにある。
【０００４】
【課題を解決するための手段】
本発明の電池格納構造は上記目的を達成するため、幅、高さ、深さを有し前記深さ方向の端部に開口が設けられた電池収容空間を備え、前記電池収容空間は、幅および高さに対して大きな寸法の長さを有する細長形状の２つの第１の電池を、それらの幅方向を電池収容空間の幅方向に合わせ、かつ、２つの第１の電池をそれらの長さ方向を平行させた状態で前記深さ方向に沿わせて収容できるように構成され、さらに、高さよりも大きな寸法の幅を有するとともに、この幅よりも大きな寸法の長さを有する１つの第２の電池を、その幅方向を電池収容空間の幅方向に合わせ、かつ、１つの第２の電池をその長さ方向を前記深さ方向に沿わせて収容できるように構成された電池格納構造であって、前記電池収容空間を構成する収容壁は、前記電池収容空間の高さ方向の両側に位置する２つの正面壁を備え、２つの正面壁のうちの１つの正面壁の幅方向の中央から幅方向の一方の側に変位した箇所で前記深さ方向に沿って延在する軸心の回りに揺動可能な仕切り板が設けられ、前記仕切り板は前記深さ方向に延在する長さを有し、前記仕切り板の前記開口寄りの部分は、前記開口から離れるに従い前記１つの正面壁からの高さが次第に大きくなる傾斜部として形成され、前記仕切り板を、前記一方の側に変位した正面壁箇所から幅方向の中央に向けて傾斜しつつ起立した状態の中立位置とする中立位置形成手段が設けられ、前記仕切り板の中立位置で、電池収容空間に２つの第１の電池を収容するとこれら２つの第１の電池の外周面間に仕切り板が介在する起立状態となり、かつ、前記仕切り板の中立位置で、前記電池収容空間に１つの第２の電池を収容するとこの収容された第２の電池の外面により前記１つの正面壁側に倒される倒伏状態となるように構成されていることを特徴とする。
【０００５】
そのため、本発明によれば、前記仕切り板が中立位置にある状態で、前記第１の電池を、前記開口から仕切り板の両側で電池収容空間に挿入することにより、前記電池収容空間に２つの第１の電池がそれらの長さ方向を平行させた状態で、かつ、長さ方向を深さ方向に沿わせた状態で収容される。２つの第１の電池が電池収容空間に収容された状態では、前記仕切り板は前記起立状態となり、前記２つの第１の電池の外周面間に前記仕切り板が介在することによりこれら２つの第１の電池の外周面間が分離される。
また、前記仕切り板が前記中立位置にある状態で、前記１つの第２の電池を前記開口から前記長さ方向を前記電池収容空間の深さ方向に沿わせて該電池収容空間に挿入することにより、前記仕切り板が第２の電池により倒されて退避位置となり、前記電池収容空間に１つの第２の電池がその長さ方向を深さ方向に沿わせた状態で収容される。
【０００６】
【発明の実施の形態】
以下、本発明による電池格納構造の実施の形態を図面に基づいて詳細に説明する。
まず、本実施の形態の電池格納構造で収容される電池について説明する。
本実施の形態の電池格納構造に収容される電池は、２つの第１の電池と、１つの第２の電池の２種類である。
図７に示すように、前記第１の電池１０は、幅および高さに対して大きな寸法の長さを有する細長形状の電池であり、本実施の形態では円柱状の外形を有し、長さ方向の両端のそれぞれにプラス電極１００２、マイナス電極１００４が設けられた単三電池である。
図８（Ａ）、（Ｂ）に示すように、前記第２の電池２０は、高さＨ１よりも大きな寸法の幅Ｗ１を有するとともに、この幅Ｗ１よりも大きな寸法の長さＬ１を有する電池であり、本実施の形態ではＣＲ−Ｖ３リチウム電池である。
（Ａ）に示すように、第２の電池２０の前部２００１にはプラス電極２００２、マイナス電極２００４が前記幅方向に間隔をおいて外方に臨んで設けられている。
また、（Ｂ）に示すように、第２の電池２０の下部には、前記高さ方向に凹状をなす凹部２００６が前部から長さＬ１の中間位置まで延在形成されている。
なお、第１の電池１０と第２の電池２０は、一次電池であるかあるいは二次電池であるかを問わない。
【０００７】
図１は本実施の形態の電池格納構造の構成を示す斜視図、図２は本実施の形態の電池格納構造の平面図である。
実施の形態に係る電池格納構造３０は、電池収容空間３６、収容壁３４、仕切り板３８、中立位置形成手段４０などで構成されている。
前記電池収容空間３６は、開口３２を有し収容壁３４によって幅Ｗ、高さＨ、深さＤを有して形成されている。前記開口３２は電池収容空間３６の深さＤ方向の端部に設けられている。
前記収容壁３４は、高さ方向の両側に位置し幅および長さを有し互いに対向する第１、第２正面壁３４０２、３４０４と、幅方向の両側に位置し高さおよび長さを有し互いに対向する両側の側面壁３４０６、３４０８と、前記開口３２に対向しこれら第１、第２正面壁３４０２、３４０４、側面壁３４０６、３４０８の端部を接続する底壁３４１０とで構成されている。
【０００８】
具体的には、前記収容壁３４は、互いに分割可能な第１部材３４Ａと第２部材３４Ｂとで構成されている。
第１部材３４Ａは、前記第１正面壁３４０２と、前記両側の側面壁３４０６、３４０８と、前記底壁３４１０とで構成されている。
前記第２部材３４Ｂは、前記第２正面壁３４０４を含んで構成されている。
そして、第２正面壁３４０４の幅方向の一方の端部の係止孔３４０４Ａに前記側面壁３４０８の爪部３４０８Ａが係合され、第２正面壁３４０４の幅方向の端部の取付片３４０４Ｂが前記側面壁のボス部３４０６Ａにねじにより取着されることで第１部材と第２部材は組付けられている。
【０００９】
図５（Ａ）に示すように、前記底壁３４１０には、前記第１の電池１０のプラス電極１００２および第２の電池２０のプラス電極２００２に接触する接点３４１０Ａと、前記第１の電池１０のマイナス電極１００４および第２の電池２０のマイナス電極２００４に接触して電気的に導通する接点３４１０Ｂが前記電池収容空間３６に臨んで設けられている。
また、前記開口３２を開閉する不図示の蓋部には、前記２つの第１の電池１０のプラス電極１００２およびマイナス電極１００４に接触する接点が前記電池収容空間３６に臨んで設けられている。
【００１０】
前記電池収容空間３６は、２つの第１の電池１０を、それらの幅方向を電池収容空間３６の幅方向に合わせ、かつ、２つの第１の電池１０をそれらの長さ方向を平行させた状態で開口３２から前記深さ方向に沿わせて収容できるように構成されている。
また、前記電池収容空間３６は、１つの第２の電池２０を、その幅方向を前記電池収容空間３６の幅方向に合わせ、かつ、１つの第２の電池２０をその長さ方向を前記深さ方向に沿わせて開口３２から収容できるように構成されている。
前記第１正面壁３４０２の上面には、幅方向の中間で長さ方向の中間から後端にわたって電池収容空間の内部に突出する凸部３４１４が延在形成されている。この凸部３４１４は、前記第２の電池２０の電池収容空間３６への誤挿入を防止するためのものである。
すなわち、前記第２の電池２０を、その上部を第２正面壁３４０４に向け、かつ、前記前部２００１を前記底壁３４１０に向けた状態で前記開口３２から電池収容空間３６に挿入した場合には、前記凸部３４１４が第２の電池２０の凹部２００６の部分に位置することで前記第２の電池２０の挿入が許容され、前記第２の電池２０の姿勢が前記と異なる場合には、前記凸部３４１４が前記第２の電池２０の部分に当接して、第２の電池２０の電池収容空間３６への挿入ができないように構成されている。
【００１１】
図６は収容壁３４の第２正面壁３４０４および仕切り板３８を下方から見た状態を示す斜視図である。
前記第２正面壁３４０４には、前記仕切り板３８を収容する欠部３４１２が第２正面壁３４０４の幅方向のほぼ中間で長さ方向の前方寄りの箇所から後方寄りの箇所にわたって延在形成されている。
前記仕切り板３８は、前記欠部３４１２に配設され、前記仕切り板３８は前記第２正面壁３４０４の幅方向の中央から幅方向の一方の側に変位した箇所で前記深さ方向に沿って延在する軸心の回りに揺動可能に設けられている。
前記仕切り板３８は前記深さ方向に延在する長さを有し、長さ方向の両端に設けられた支軸３４１６がそれぞれ第１正面壁３４０４の軸受部３４１８に挿通されることで前記軸心の回りに揺動可能に支持されている。
また、前記仕切り板３８は、前記第１正面壁３４０４から起立した状態で前記電池収容空間３６の高さのほぼ１／２程度に至る高さを有し、図４に示すように、前記仕切り板３８の前記開口３２寄りの部分は、前記開口３２から離れるに従い第１正面壁３４０２からの高さが次第に大きくなる傾斜部３８０２として形成され、また、該傾斜部３８０２よりも後方の部分は一律の高さで形成されている。
また、前記仕切り板３８の高さ方向の先部寄りに位置する部分は、前記電池電池収容空間３６の前記幅方向の一方の側に収容される第１の電池の外周面に合致する円筒面で形成されている。
【００１２】
前記中立位置形成手段４０は、前記仕切り板３８を、前記第２正面壁３４０４の幅方向の一方の側に変位した箇所から幅方向の中央に向けて傾斜しつつ起立した状態の中立位置とするもので、本実施の形態では、ねじりスプリング４００２（特許請求の範囲の付勢手段に相当）と突起４００４（特許請求の範囲のストッパに相当）とにより形成されている。
前記ねじりスプリング４００２は、そのコイル部に、前記軸心に沿って延在する前記仕切り板３８部分に設けられたボス部３４２０が挿通され、その一端の直線部が第２の正面壁３４０４に取着され、他端の直線部が仕切り板３８に係止されている。
前記突起４００４は、前記軸心に沿って延在する前記仕切り板３８部分あるいは前記ボス部３４２０に設けられ、図５（Ａ）に示すように、前記仕切り板３８が前記中立位置となったときに前記第２正面壁３４０４の欠部３４１２の縁部に当接し、これにより前記仕切り板３８の前記中立位置を越える方向への揺動を規制するストッパとして機能している。なお、前記突起４００４は、図５（Ｃ）に示す倒伏状態では、前記電池収容空間３６から開口３４０２内に退避するように構成されている。
【００１３】
前記仕切り板３８が中立位置に位置した状態で、図５（Ａ）に示すように、仕切り板と一方の側面３４０６により１つの第１の電池１０が収容されるスペースが画成され、また、仕切り板３８と側面壁３４０８により１つの第１の電池１０が収容されるスペースが画成される。
そして、前記仕切り板３８が前記中立位置に位置した状態で、２つの第１の電池１０を、それらの幅方向を電池収容空間３６の幅方向に合わせ前記開口３２から前記長さ方向を該電池収容空間３６の深さ方向に沿わせ仕切り板３８の両側に挿入し電池収容空間３６に収容すると、図５（Ｂ）に示すように、前記仕切り板３８が前記２つの第１の電池１０の外周面間に介在する起立状態となるように構成されている。
また、前記仕切り板３８が前記中立位置に位置した状態で、前記第２の電池２０を、その幅方向を前記電池収容空間３６の幅方向に合わせ、かつ、前記長さ方向を前記電池収容空間３６の深さ方向に沿わせ、上部を第２正面壁３４０４に向けて前記前部２００１を開口３２から電池収容空間３６に挿入すると、前記第２の電池２０の前部２００１（外面）が前記仕切り板３８の傾斜部３８０２に当接し、これにより図３、図４、図５（Ｃ）に示すように、仕切り板３８は第２正面壁３４０４に向け揺動されて倒伏状態となり、前記電池収容空間３６の外部で前記欠部３４１２内に退避した退避位置となるように構成されている。
【００１４】
なお、第１部材、第２部材、前記仕切り板３６は、例えば合成樹脂を型成形することで得られる。また、前記支軸３４１６は、仕切り板３６と一体に合成樹脂により型成形してもよく、あるいは、鋼製のピンで構成してもよい。
【００１５】
次に、上述のように構成された前記電池格納構造３０の作用について説明する。
前記電池収容空間３６に何も収容されていない状態では、図１、図２、図５（Ａ）に示すように、前記仕切り板３８が前記中立位置形成手段により前記中立位置とされている。
前記第１の電池１０を電池格納構造３０に収容する際には、図５（Ａ）に示すように、前記仕切り板３８が中立位置にある状態で、前記第１の電池１０を、前記開口３２から仕切り板の両側で電池収容空間３６に挿入し、前記第１の電池１０のプラス電極１００２、マイナス電極１００４のそれぞれが前記底壁３４１０の接点３４１０Ａ、３４１０Ｂにそれぞれ接触するまで押し入れる。これにより、前記電池収容空間３６に２つの第１の電池１０がそれらの長さ方向を平行させた状態で、かつ、長さ方向を深さ方向に沿わせた状態で収容される。
そして、２つの第１の電池１０が電池収容空間３６に収容された状態では、図５（Ｂ）に示すように、前記仕切り板３８は前記起立状態となり、前記２つの第１の電池１０の外周面間に前記仕切り板３８が介在することによりこれら２つの第１の電池１０の外周面間が分離される。ここで、前記起立状態にある前記仕切り板３６は、前記電池収容空間３６の高さのほぼ１／２程度の高さを有しているので、２つの第１の電池１０の外周面間に確実に位置することになり、前記２つの第１の電池１０の外周面間の分離がより確実となる。
この状態で、前記開口３２を前記蓋部によって閉塞することにより、２つの第１の電池１０が前記電池収容空間３６に収容された状態が保持される。
【００１６】
前記第２の電池２０を電池格納構造３０に収容する際には、図５（Ａ）に示すように、前記仕切り板３８が前記中立位置にある状態で、前記１つの第２の電池２０を前記開口３２から前記長さ方向を前記電池収容空間３６の深さ方向に沿わせて該電池収容空間３６に挿入し、前記第２の電池２０のプラス電極２００２、マイナス電極２００４のそれぞれが前記接点３４１０Ａ、３４１０Ｂにそれぞれ接触するまで押し入れる。これにより、図３、図４、図５（Ｃ）に示すように、前記仕切り板３８が第２の電池２０により倒されて退避位置となり、前記電池収容空間３６に１つの第２の電池２０がその長さ方向を深さ方向に沿わせた状態で収容される。
前記第２の電池２０によって前記仕切り板３８が倒されるが、前記仕切り板３８の中立位置では、仕切り板３８は正面壁箇所から幅方向の中央に向けて傾斜しつつ起立しており、しかも、仕切り板３８の開口寄り部分に傾斜部３８０２が形成されているので、仕切り板３８の中立位置から退避位置への揺動は円滑になされる。
この状態で、前記開口３２を前記蓋部によって閉塞することにより、第２の電池２０が前記電池収容空間３６に収容された状態が保持される。
【００１７】
以上説明したように、本実施の形態によれば、前記仕切り板３８が前記中立位置に位置した状態で、電池収容空間３６に２つの第１の電池１０を収容するとこれら２つの第１の電池１０の間に仕切り板３８が介在する起立状態となり、かつ、前記仕切り板３８が前記中立位置にある状態で、前記電池収容空間３６に１つの第２の電池２０を収容するとこの収容された第２の電池２０の外面により倒される退避位置となるように構成されている。
したがって、２つの第１の電池１０が収容されるとともに、１つの第２の電池が収容されることは無論のこと、２つの第１の電池２が収容された状態で、１つの仕切り板３８によって２つの第１の電池１０を分離することができるので、従来よりも部品点数が少なく、コスト削減および小型化を図る上で有利である。
【００１８】
また、前記仕切り板３８は、前記電池収容空間３６の前記深さ方向に沿って、すなわち、２つの第１の電池１０の長さ方向に沿って延在して２つの第１の電池１０の外周面間に介在するため、電池同士の分離を確実に行なうことができる。特に、前記第１の電池１０を１つずつ順番に前記電池収容空間３６に挿入する際、１つの第１の電池１０が収容された状態で、もう一つの第１の電池１０を挿入する際、このもう一つの第１の電池１０の部分が既に収容されている第１の電池１０の部分に誤って接触することも前記仕切り板３８によって防止される。
また、前記仕切り板３８の高さ方向の先部寄りに位置する部分が、前記第１の電池１０の外周面に合致する円筒面で形成されているので、前記起立状態にある仕切り板３８は電池収容空間３６に収容された第１の電池１０の外周面に沿って位置することになり、前記仕切り板３８と第１の電池１０の外周面との間に無駄な隙間が生じないため、電池格納構造３０を小型化する上で有利となる。
【００１９】
また、前記第２の電池２０を前記電池収容空間３６に誤挿入した場合、すなわち、前記第２の電池２０の凹部２００６が前記第１正面壁３４０２の凸部３４１４に臨まないような姿勢で該第２の電池２０を電池収容空間３６に挿入した場合には、前記凸部３４０２が第２の電池２０の部分に当接してそれ以上の挿入ができないので第２の電池２０が誤った姿勢で装填されることを防止することができる。
このように前記第２の電池２０の電池収容空間３６への誤装填が確実に防止されるので、従来と違って、第２の電池２０の凹部２００６が仕切り板３８の部分にひっかかり第２の電池２０を電池収容空間３６から取出しにくくなるといったことを未然に防ぐことができ、使い勝手を向上させる上で有利となる。
【００２０】
なお、前記中立位置形成手段４０は、本実施の形態に限定されず、例えば、ねじりスプリングのみによって構成することができる。すなわち、ねじりスプリングの一方の端部を前記仕切り板３８に取着し、ねじりスプリングの他方の端部を前記収容壁３４に取着し、前記中立位置を、前記ねじりスプリングの自然長状態により形成するように構成してもよい。この場合には、前記仕切り板３８の中立位置を越える方向への揺動を規制するストッパが不要となるため、部品点数や加工を減らすことができ、コストを低減する上で有利となる。
【００２１】
また、本実施の形態では、２つの単三電池と、１つのＣＲ−Ｖ３リチウム電池とのいずれも収納できる電池格納構造について説明したが、本発明はこれに限定されるものではなく、様々な大きさの乾電池や一次電池、二次電池（リチャージブル・バッテリー）に応用可能であることは言うまでもない。
また、本発明の電池格納構造は、２つの第１の電池でなく、３つ以上のＮ個の第１の電池を収容できるように構成してもよい。この場合には、前記仕切り板を（Ｎ−１）個設け、これら第１の電池を電池収容空間に収容した状態で前記仕切り板のそれぞれを互いに隣接する第１の電池の間のそれぞれの間に介在させる起立状態が形成できるように構成すればよい。
このように３つ以上のＮ個の第１の電池を収容する場合には、互いに隣接して収容される２つの第１の電池毎に前記電池収容空間が存在していると考えることで本発明は適用されるものである。例えば、３つの第１の電池を収容する場合には２つの仕切り板が設けられるが、この２つの仕切り板の前記起立状態は、電池収容空間の深さ方向から見て、ハの字をなすように傾斜して起立する状態、あるいは、逆ハの字をなすように傾斜して起立する状態、あるいは、互いに平行を保ちつつ傾斜して起立する状態となる。
また、この電池格納構造は、電子スチルカメラなどの電子機器に用いられて好適なものであるが、このような電子機器に限らず、ライトやシェーバーなどの家庭用電気機器などにも好適に使えるものであることは勿論である。
【００２２】
【発明の効果】
以上説明したように本発明によれば、コスト削減および小型化を図る上で有利であり、電池同士の分離を確実に行なうことができ、使い勝手に優れた電池格納構造を提供することができる。
【図面の簡単な説明】
【図１】本実施の形態の電池格納構造において仕切り板が中立位置にある状態を示す斜視図である。
【図２】本実施の電池格納構造において仕切り板が中立位置にある状態を示す平面図である。
【図３】本実施の形態の電池格納構造において仕切り板が退避位置にある状態を示す斜視図である。
【図４】本実施の電池格納構造において仕切り板が退避位置にある状態を示す平面図である。
【図５】（Ａ）は本実施の形態の電池格納構造において仕切り板が中立位置にある状態を示す説明図、（Ｂ）は電池収容空間に第１の電池が収容された状態を示す説明図、（Ｃ）は電池収容空間に第２の電池が収容された状態を示す説明図である。
【図６】収容壁の第２正面壁および仕切り板を下方から見た状態を示す斜視図である。
【図７】第１の電池の斜視図である。
【図８】（Ａ）第２の電池を上方から見た斜視図、（Ｂ）第２の電池を下方から見た斜視図である。
【図９】
（Ａ）は従来の電池収容構造においてスペーサ部材が起立位置にある状態を示す説明図、（Ｂ）は従来の電池収容構造においてスペーサ部材が倒伏位置にある状態を示す説明図である。
【符号の説明】
１０……第１の電池、２０……第２の電池、３０……電池格納構造、３２……開口、３４……収容壁、３４０２……第１正面壁、３４０４……第２正面壁、３４０６、３４０８……側面壁、３４１０……底壁、３６……電池収容空間、３８……仕切り板、４０……中立位置形成手段。
【図１】
2004014418.tif 000003
【図２】
2004014418.tif 000004
【図３】
2004014418.tif 000005
【図４】
2004014418.tif 000006
【図５】
2004014418.tif 000007
【図６】
2004014418.tif 000008
【図７】
2004014418.tif 000009
【図８】
2004014418.tif 000010
【図９】
2004014418.tif 000011